(57)【要約】【課題】    着座位置とはね上げ位置との間で便座を回動させる際、衛生上の問題、不快感を感じる問題そして手が便座から滑る問題を防止又は減少させることができる便座用の取っ手及び便座を提供する。【解決手段】腰掛け式便器における便座に取り付けられる取っ手であって、便座に固定される固定部と、便座に対して横方向に突出するように固定部に取り付けられるハンドル部と、を有してなる便座用取っ手である。固定部が、便座の下面を支持する板状部材を有してなるものであってもよい。また、横方向に突出するハンドル部が一体に形成された便座であり、ハンドル部が側方位置に形成されたものであってもよい。【選択図】  図１
2007151638.tif 000002
【特許請求の範囲】
【請求項１】
腰掛け式便器における便座に取り付けられる取っ手であって、
便座に固定される固定部と、
便座に対して横方向に突出するように固定部に取り付けられるハンドル部と、を有してなる便座用取っ手。
【請求項２】
固定部が、便座の下面を支持する板状部材を有してなるものである、請求項１に記載の便座用取っ手。
【請求項３】
便座の外周面に面するよう上方に向けて立ち上がる立ち上がり部分を有するものであり、
前記板状部材が便座の下面に沿って取り付けられた場合、少なくともハンドル部を上方に移動させるとき該立ち上がり部分が便座に当接するものである、請求項２に記載の便座用取っ手。
【請求項４】
前記立ち上がり部分が、前記立ち上がり部分と便座とを連結する棒状部材を嵌入する嵌入孔を有するものである、請求項３に記載の便座用取っ手。
【請求項５】
ハンドル部の下面が、先端側が下方に降下する先端方向降下部分を有するものである、請求項１乃至４のいずれか１に記載の便座用取っ手。
【請求項６】
横方向に突出するハンドル部が一体に形成された便座。
【請求項７】
前記ハンドル部が側方位置に形成されたものである、請求項６に記載の便座。
【請求項８】
ハンドル部の下面が、先端側が下方に降下する先端方向降下部分を有するものである、請求項６又は７に記載の便座。
【発明の詳細な説明】
【技術分野】
【０００１】
本発明は、便座用の取っ手及び便座に関し、より詳細には、腰掛け式便器において使用者（用便者）の臀部を支持する便座に取り付けられる取っ手及び便座に関する。
【背景技術】
【０００２】
大小便をする器である便器は様々なものが古来から用いられてきた。これらの中で腰掛け式便器（洋式便器等とも呼ばれる。）は、便座に腰掛けた状態で用便をすることができるので、和式便器にしゃがみ込んで用便をするのに比して楽に用便ができ、最近多用されるようになってきた（例えば、特許文献１）。
図８は、従来から用いられてきた腰掛け式便器（洋式便器）１０１を示す斜視図である。図８を参照して、腰掛け式便器（洋式便器）１０１について説明する。腰掛け式便器（洋式便器）１０１は、略水平な床面２０１に設置されており、上部開口１０３ａから大小便を受け入れる便器本体１０３と、便器本体１０３に回動自在に取り付けられ使用者（図示せず）の臀部（図示せず）を支持する便座１０５と、便器本体１０３の上部開口１０３ａを開閉するため便器本体１０３に回動自在に取り付けられた蓋部１０７と、を有してなる。便座１０５は、男性大便用及び女性用の場合には着座位置（図８に示した位置であり、便座１０５の座面１０５ａが略水平になる。）に回動され、男性小便用の場合にははね上げ位置（便器本体１０３の上部開口１０３ａが広く開放されるよう、通常、便座１０５の座面１０５ａが鉛直に近い位置となる。即ち、図８に示した位置から矢印Ｋ方向に便座１０５を約９０度程度回動させる。）に回動される。このように男性大便用及び女性用の場合と男性小便用の場合とのそれぞれの場合に応じ、便座１０５は、着座位置とはね上げ位置との間で回動される必要があり、具体的には、図示しない使用者が便座１０５を手で把持して便座１０５を回動させていた。なお、着座位置における便座１０５は、便器本体１０３の上面に配設された複数（ここでは４個）のゴム状部材（通常、スペーサ等とも呼ばれる。）１０３ｓにより下面が支持されている。
【０００３】
一方、特許文献１に記載の腰掛け式便器（洋式便器）は、便器カバーと共に便座を着座位置から上方へ揺動させた状態（はね上げ位置）に切り換えて男性が放尿する際に、便器本体やその周囲に放尿してしまい汚れやすい問題を解決するために発明されたものであり、「便器本体の左右両側それぞれに、立ち姿勢の放尿者が曲げた状態の膝を当接して立ち姿勢の維持を補助する膝当て部を設けて構成する」（特許文献１発明の詳細な説明中、段落番号０００７）ものであり、これによって「便器本体の左右両側それぞれに膝当て部を設けるだけでありながら、放尿者の膝を曲げた状態の立ち姿勢の維持を補助し、放尿位置を低くするとともに放尿姿勢を安定させて便器本体内に放尿しやすくできる。したがって、簡単な構成の付加で、高さ方向および左右前後方向で位置を安定させて放尿できるから、放尿の際の尿の便器本体の外周への飛散を防止でき、放尿に伴う汚れ発生を抑制できる。そのうえ、放尿姿勢を安定化できるから、落ち着いて放尿できる。しかも、放尿を受ける箇所に特別な部材を設けないから、位置変更や特別な部材の洗浄といった新たな手間が不要であり、煩わしさも無く、極めて実用性に優れる」（特許文献１発明の詳細な説明中、段落番号０００８〜００１１）というものである。このため「便器本体の左右両側それぞれに膝当て部を設けるだけでありながら、放尿者の膝を曲げた状態の立ち姿勢の維持を補助し、放尿位置を低くするとともに放尿姿勢を安定させて便器本体内に放尿しやすくできるから、簡単な構成の付加で、高さ方向および左右前後方向で位置を安定させて放尿できるから、放尿の際の尿の便器本体の外周への飛散を防止でき、放尿に伴う汚れ発生を抑制できる」（特許文献１発明の詳細な説明中、段落番号００１４）という効果を奏する。
【０００４】
【特許文献１】特開２００５−２５３７４８号公報（例えば、発明の詳細な説明中、段落番号０００１〜０００３、０００７〜００１１、００１４、第１図〜第４図等）
【発明の開示】
【発明が解決しようとする課題】
【０００５】
確かに、特許文献１に記載の腰掛け式便器（洋式便器）によれば、はね上げ位置に回動された便座を含め便器本体の外周への尿の飛散を防止でき、放尿に伴う汚れ発生を抑制できる。
しかしながら、腰掛け式便器（洋式便器）の便座は、やはり大小便が付着する可能性があるので、着座位置とはね上げ位置との間で便座を回動させる際に使用者が直接手で触れることは衛生上好ましくないし不快感を持つ者が多かった（この衛生上の問題や不快感を感じる問題は、不特定多数の者が使用する腰掛け式便器（洋式便器）において顕著である。）。また、着座位置とはね上げ位置との間で便座を回動させる際、手が便座から滑るという問題もあった（便座から手が滑ると、便座が着座位置へ強く落下し、大きな音を生じたり便座が破損する可能性がある。）。
そこで、本発明においては、着座位置とはね上げ位置との間で便座を回動させる際、衛生上の問題、不快感を感じる問題そして手が便座から滑る問題を防止又は減少させることができる便座用の取っ手及び便座を提供することを目的とする。
【課題を解決するための手段】
【０００６】
腰掛け式便器（洋式便器）の本発明の便座用の取っ手（以下、「本取っ手」という。）は、腰掛け式便器における便座に取り付けられる取っ手であって、便座に固定される固定部と、便座に対して横方向に突出するように固定部に取り付けられるハンドル部と、を有してなる便座用取っ手である。
ここに「便座に対して横方向に突出する」ハンドル部とは、便座とハンドル部とを水平面に投影（正投影をいう。以下、同じ。）したとき、該水平面内で便座（の投影された影）よりもハンドル部（の投影された影）が外側（便座の内側（使用時において便が通過する側）とは反対側）に突出していることをいう。
本取っ手は、固定部とハンドル部とを備えており、固定部は便座に固定され、ハンドル部は固定部に取り付けられる（なお、ハンドル部と固定部とは一体又は別体のいずれであってもよい。）。ハンドル部は、便座に対して横方向に突出するので、腰掛け式便器（洋式便器）の使用者はハンドル部を手で把持し着座位置とはね上げ位置との間で便座を自由に回動させることができる。手で把持するハンドル部は便座に対して横方向（便座の内側（使用時において便が通過する側）とは反対側）に突出しているので、便が付着しにくいことから衛生上の問題や不快感を感じる問題を防止又は減少させることができ、さらに突出した把持しやすいハンドル部を把持することから手が滑る問題を防止又は減少させることができる。
【０００７】
固定部が、便座の下面を支持する板状部材を有してなるもの（以下、「下面支持取っ手」という。）であってもよい。
便座は、腰掛け式便器（洋式便器）の使用者が腰掛ける座面を上面に有する必要があることから、上下方向が比較的短い平べったい形状を有しているので、座面を構成する上面に相対する下面は、上面と同様に比較的広い面積を有することが多い。この広い面積を有する下面に板状部材を当接させ、便座を回動させる際に下面を支持させるようにすれば、便座をうまく支持することができる（板状部材と便座下面とが広い面積で当接する。）。
【０００８】
下面支持取っ手の場合、便座の外周面に面するよう上方に向けて立ち上がる立ち上がり部分を有するものであり、前記板状部材が便座の下面に沿って取り付けられた場合、少なくともハンドル部を上方に移動させるとき該立ち上がり部分が便座に当接するもの（以下、「立ち上がり部分当接取っ手」という。）であってもよい。
このように板状部材が便座の下面に沿って取り付けられた場合、少なくともハンドル部を上方に移動させるとき立ち上がり部分が便座に当接するようにすれば、立ち上がり部分が便座に当接することで便座の重量等により本取っ手が上方に湾曲することを防止する（便座の下面に沿って取り付けられた板状部材に加わる便座の重量等と、ハンドル部を把持した手からハンドル部に加えられる上方に向かった力と、は本取っ手を湾曲させるよう作用する。）。
なお、板状部材と便座とは、様々な方法にて取り付けられることができ何ら制限されるものではないが、一例を挙げれば、接着、粘着（例えば、両面に粘着面を有するいわゆる両面テープ等を用いる。）、ネジ、ビス、釘、ボルト等を例示することができる。
また、「少なくともハンドル部を上方に移動させるとき該立ち上がり部分が便座に当接する」とは、ハンドル部を上方に移動させるときに立ち上がり部分が便座に当接していれば足り、ハンドル部を上方に移動させないときに立ち上がり部分が便座に当接しているか否かは問わないものである（従って、ハンドル部を上方に移動させるときのみならず移動させないときも、立ち上がり部分が便座に常時当接しているような場合も含む。）。
【０００９】
立ち上がり部分当接取っ手の場合、前記立ち上がり部分が、前記立ち上がり部分と便座とを連結する棒状部材を嵌入する嵌入孔を有するものであってもよい。
こうすれば立ち上がり部分が有する嵌入孔に棒状部材を嵌入し、立ち上がり部分と便座とを連結することができ便利である。即ち、立ち上がり部分が便座に当接することで便座の重量等により本取っ手が上方に湾曲することを防止すると共に、立ち上がり部分と便座とを連結することもできる。
なお、棒状部材としては、立ち上がり部分と便座とを連結することができるものであれば何ら制限されるものではないが、一例を挙げれば、ビス、ネジ、釘、ボルト等を例示することができる。
【００１０】
ハンドル部の下面が、先端側が下方に降下する先端方向降下部分を有するものであってもよい。
腰掛け式便器（洋式便器）の使用者が、着座位置とはね上げ位置との間で便座を回動させる場合、ハンドル部の下面を指等で支持しつつ行うことが多い。かかる場合、ハンドル部の下面から指等が外れると、便座が着座位置へ強く落下し、大きな音を生じたり便座が破損する可能性があるが、先端側が下方に降下する先端方向降下部分をハンドル部の下面（指等で支持する面）が有すると指等がハンドル面の下面を先端側に滑って外れることを効果的に防止又は減少させることができる（指等がハンドル面の下面を先端側に滑って外れようとすると、本取っ手に取り付けられた便座が、指等に対して相対的に上方に移動することを要するため、指等がハンドル面の下面を先端側に滑って外れることを効果的に防止又は減少させる。）。
なお、先端側が下方に降下する先端方向降下部分は、ハンドル部の下面のある所定の第１位置よりも、ハンドル部の先端側に位置する第２位置が下方に位置している部分であればよい。
【００１１】
また、腰掛け式便器（洋式便器）の本発明の便座（以下、「本便座」という。）は、横方向に突出するハンドル部が一体に形成された便座である。
ここに「横方向に突出するハンドル部」とは、水平面に投影したとき、該水平面内でハンドル部（の投影された影）が便座本体（腰掛け式便器（洋式便器）の使用者が腰掛ける座面を上面に有するドーナツ状（中心に開口が形成された環状）又は「Ｃ」の字形状（ドーナツ状の一部を切り欠いた形状）の部分）（の投影された影）よりも外側（便座の内側（使用時において便が通過する側）とは反対側）に突出していることをいう。
ハンドル部は横方向に突出するので、腰掛け式便器（洋式便器）の使用者はハンドル部を手で把持し着座位置とはね上げ位置との間で便座を自由に回動させることができる。手で把持するハンドル部は横方向（便座本体の内側（使用時において便が通過する側）とは反対側）に突出しているので、便が付着しにくいことから衛生上の問題や不快感を感じる問題を防止又は減少させることができ、さらに突出した把持しやすいハンドル部を把持することから手が滑る問題を防止又は減少させることができる。
【００１２】
本便座において、前記ハンドル部が側方位置に形成されたものであってもよい。
ここに「側方位置」とは、腰掛け式便器（洋式便器）の使用者が両脚を真っ直ぐ前方にそろえて便座に腰掛けた際、該両脚から便座の座面に投影した影の左右外側の位置をいう。
こうすることで腰掛け式便器（洋式便器）の使用者が本便座に腰掛けた際、使用者の脚がハンドル部に当接しにくいことから本便座に腰掛けて用便をする際にハンドル部が邪魔になることを防止又は減少させることができる。
【００１３】
本便座において、ハンドル部の下面が、先端側が下方に降下する先端方向降下部分を有するものであってもよい。
腰掛け式便器（洋式便器）の使用者が、着座位置とはね上げ位置との間で便座を回動させる場合、ハンドル部の下面を指等で支持しつつ行うことが多い。かかる場合、ハンドル部の下面から指等が外れると、便座が着座位置へ強く落下し、大きな音を生じたり便座が破損する可能性があるが、先端側が下方に降下する先端方向降下部分をハンドル部の下面（指等で支持する面）が有すると指等がハンドル面の下面を先端側に滑って外れることを効果的に防止又は減少させることができる（指等がハンドル面の下面を先端側に滑って外れようとすると、本便座が、指等に対して相対的に上方に移動することを要するため、指等がハンドル面の下面を先端側に滑って外れることを効果的に防止又は減少させる。）。
なお、先端側が下方に降下する先端方向降下部分は、ハンドル部の下面のある所定の第１位置よりも、ハンドル部の先端側に位置する第２位置が下方に位置している部分であればよい。
【発明を実施するための最良の形態】
【００１４】
以下、本発明の実施の形態を図面を参照して説明する。しかしながら、これらによって本発明は何ら制限されるものではない。
【００１５】
図１は、本発明の便座用の取っ手（本取っ手）１１を取り付けた便座１０５を示す平面図である。具体的には、図１は、図８に示した腰掛け式便器（洋式便器）１０１の便座１０５（着座位置）に本取っ手１１を取り付けたところを示す平面図（座面１０５ａ側から見たところ。図８中に矢印Ｍとして見る方向を示した。）である。図２は図１のＡ−Ａ断面図である。そして、図３は本取っ手１１の平面図（見る方向は図１と同様である。）であり、図４は本取っ手１１の正面図（図３中、矢印Ｃ方向から見たところを示している。）であり、図５は図３のＢ−Ｂ断面図である。また、それぞれの角部は、実際には使用者の使用感を良くする等のため丸くなるよう面取りが施されているが、各図の図示を容易にするため面取りしていない状態を図示している。
なお、本発明にいう「後」、「前」、「上」、「下」、「右」及び「左」は、便座１０５の座面１０５ａに腰掛けた使用者（図示せず。真っ直ぐ前を向いた状態）が認識する「後」、「前」、「上」、「下」、「右」及び「左」をいい、図中（図１、図２及び図８中に示した。また、同様に後述の図６及び図７中にも示した。）、矢印Ｐ１（後）、矢印Ｐ２（前）、矢印Ｐ３（上）、矢印Ｐ４（下）、矢印Ｐ５（右）及び矢印Ｐ６（左）にてそれぞれ示した。
【００１６】
本取っ手１１は、樹脂材料（具体的には、ポリエチレン樹脂）により一体的に形成されており、大まかには、便座１０５に固定される固定部２１と、固定部２１と一体に形成されることで取り付けられたハンドル部５１と、を有してなる。なお、本取っ手１１を形成する材料は、ここに用いたような樹脂材料に限定されるものでないことは言うまでもなく、例えば、アルミニウム、ステンレス鋼、表面に塗装を施された炭素鋼等のような金属材料、木材、ゴム材料、セラミックスや陶磁器のような無機材料等を例示的に挙げることができる。また、後述する各部の厚み（図４中、厚みＴ１、Ｔ２、Ｔ３）はここでは約３〜５ｍｍ程度にされている。
【００１７】
固定部２１は、平らな略直方体形状をした板状部３１と、板状部３１と一体的に畝状に形成された立ち上がり部４１と、を有してなる。
板状部３１は、高さの小さい略直方体形状（板状）をしており、互いに略平行な上面３３及び下面３５と、上面３３と下面３５との間に形成される側面３７ａ、３７ｂ、３７ｃと、を有している（なお、後述するように上面３３の一部は立ち上がり部４１との連結に用いられている。そして、上面３３と下面３５との間に形成される側面は本来４面であるが、側面３７ａ、３７ｂ、３７ｃ以外の１面はハンドル部５１との連結に用いられている。）。なお、板状部３１の長さ（図４中、長さＳ１）はここでは約５０ｍｍ程度にされている。
立ち上がり部４１は、その長手方向（図３中、矢印Ｌにて示した）に対する垂直な断面（例えば、図５や図２）が略四角形（台形。図５においては、両辺４３ａ、４３ｂが互いに略平行になっている。）をした棒状の略四角柱形状に形成されている。そして、立ち上がり部４１は、該略四角柱の側面部分として、板状部３１の上面３３から上方に向けて立ち上がる一方立ち上がり面４２ａ（上面３３から一方立ち上がり面４２ａの立ち上がり高さ（図４中、Ｓ２）はここでは約１５〜１６ｍｍ程度にされている。）と、一方立ち上がり面４２ａと略平行な他方立ち上がり面４２ｂと、一方立ち上がり面４２ａと他方立ち上がり面４２ｂとを結ぶ立ち上がり部上面４２ｃと、の３面を有する（該略四角柱の側面部分のうち該３面以外の１面は、板状部３１との接合面である。立ち上がり部４１の長手方向（図３中、矢印Ｌ）と、上面３３、下面３５及び側面３７ｂと、は略平行にされている。）。ここに一方立ち上がり面４２ａと板状部３１の上面３３とがなす角（図４及び図５中、角度Ｎ）は約８５度である。このように一方立ち上がり面４２ａと上面３３とがなす角Ｎを９０度未満にすることで、一方立ち上がり面４２ａと上面３３との間に便座１０５をしっかり挟み込むことができ、固定部２１を便座１０５にしっかり固定することができる。なお角度Ｎとしては、あまり小さいと固定部２１を便座１０５に取り付けにくくなり、あまり大きいと一方立ち上がり面４２ａと上面３３との間に便座１０５をしっかり挟み込むことができなくなるので、これらを満たす範囲とされることが好ましく、通常、７８度以上、好ましくは８０度以上、より好ましくは８２度以上、最も好ましくは８４度以上とされ、９０度以下、好ましくは８８度以下、より好ましくは８７度以下、最も好ましくは８６度以下とされる。さらに、一方立ち上がり面４２ａと他方立ち上がり面４２ｂとを連通させるように嵌入孔４５ａ、４５ｂが形成されている。嵌入孔４５ａ、４５ｂいずれも軸を中心とした円柱（ここでは直径３〜５ｍｍ程度）形状をしており、嵌入孔４５ａ、４５ｂいずれの該軸も一方立ち上がり面４２ａ及び他方立ち上がり面４２ｂに略垂直でかつ嵌入孔４５ａの該軸と嵌入孔４５ｂの該軸とを含む平面は立ち上がり部上面４２ｃに略平行である。なお、ここではそうしていないが、嵌入孔４５ａ、４５ｂは、（便座１０５に棒状部材（ビス、ネジ、釘、ボルト等）を嵌入してもよい場合には）棒状部材（ビス、ネジ、釘、ボルト等）を嵌入し便座１０５と固定部２１とを連結するのに用いることができる。
【００１８】
ハンドル部５１は、固定部２１に取り付けられた基端部５１ａから先端部５１ｂに行くにつれて幅（図３中、Ｗ）が狭くなるように形成されており、より具体的には、両主表面が等脚台形を略形成する板状部材を該両主表面が湾曲（無論、一主表面（上面）が凸で他主表面（下面）が凹）するように成型したものによって構成されている。そして、該等脚台形の両底部分（基端部５１ａ及び先端部５１ｂを構成している）は、立ち上がり部４１の長手方向（図３中、矢印Ｌ）に対して略平行になるよう、ハンドル部５１は固定部２１と一体的に成型されている。
ハンドル部５１の下面５３は上方に向かって凸になるよう湾曲されており、立ち上がり部４１の長手方向（図３中、矢印Ｌ）に対して垂直な平面による断面（例えば、図５や図２）においては下面５３は円弧（半径２５〜３０ｍｍの円弧）の一部に略沿った形状を有している。従って、ハンドル部５１の下面５３は、その最上部５３ａよりも先端部５１ｂに行くにつれて下方に降下するものであり、最上部５３ａよりも先端部５１ｂ側が先端方向降下部分（図２中、部分Ｙ）を構成する。なお、上面３３と一方立ち上がり面４２ａとの接合位置と、先端部５１ｂと、の間の寸法（図４中、寸法Ｓ３）はここでは約３５〜４０ｍｍ程度とされている。また、本取っ手１１の幅（図３中、幅Ｓ４）はここでは約８０〜９０ｍｍ程度とされている。
【００１９】
このような本取っ手１１は、図２に示すように、板状部３１の上面３３が便座１０５の下面１０５ｂに両面テープ９１（両主表面とも粘着面を有する）により粘着されることで便座１０５に取り付けられている。
このため腰掛け式便器（洋式便器）１０１の使用者（図示せず）はハンドル部５１を手で把持しハンドル部５１に力を加えることで着座位置とはね上げ位置との間で便座１０５を自由に回動させることができる。なお、ハンドル部５１を上方に移動（例えば、着座位置からはね上げ位置へと回動）させるときには本取っ手１１が上方に向かって反る（反る方向を図２中、矢印Ｑにて示した）ことにより立ち上がり部４１が便座１０５に当接し、便座１０５の重量等により本取っ手１１がさらに上方に湾曲することを防止する。そして、手で把持するハンドル部５１は便座１０５に対して横方向に突出しているので、便が付着しにくいことから衛生上の問題や不快感を感じる問題を防止又は減少させることができ、さらに突出した把持しやすいハンドル部５１を把持することから手が滑る問題を防止又は減少させることができる。なお、ここのハンドル部５１は、便座１０５とハンドル部５１とを水平面（例えば、図１に示す面）に投影したとき、該水平面内で便座１０５（の投影された影）よりもハンドル部５１（の投影された影）が外側１０５ｅ（便座１０５の内側１０５ｆ（使用時において便が通過する側）とは反対側）に突出しているので「便座に対して横方向に突出する」ハンドル部である。
【００２０】
以上説明したように、本取っ手１１は、腰掛け式便器１０１における便座１０５に取り付けられる取っ手であって、便座１０５に固定される固定部２１と、便座１０５に対して横方向に突出するように固定部２１に取り付けられるハンドル部５１と、を有してなる便座用取っ手である。
また、固定部２１が、便座１０５の下面１０５ｂを支持する板状部材たる板状部３１を有してなるものである。なお、ここではそうしていないが、板状部３１の上面３３と便座１０５の下面１０５ｂとを両面テープ９１により粘着固定することと共に又は両面テープ９１により粘着固定することに代えて、嵌入孔４５ａ、４５ｂに棒状部材（ビス、ネジ、釘、ボルト等）を嵌入し便座１０５と固定部２１とを連結するようにしてもよい。
【００２１】
そして、本取っ手１１は、便座１０５の外周面１０５ｄに面するよう上方（矢印Ｐ３）に向けて立ち上がる立ち上がり部分たる立ち上がり部４１を有するものであり、前記板状部材たる板状部３１が便座１０５の下面１０５ｂに沿って取り付けられた場合、少なくともハンドル部５１を上方に移動させるとき該立ち上がり部分たる立ち上がり部４１が便座１０５に当接するものである。
また、前記立ち上がり部分たる立ち上がり部４１が、前記立ち上がり部分たる立ち上がり部４１と便座１０５とを連結する棒状部材（ビス、ネジ、釘、ボルト等）を嵌入する嵌入孔４５ａ、４５ｂを有する。
さらに、ハンドル部５１の下面５３が、先端（先端部５１ｂ）側が下方（矢印Ｐ４）に降下する先端方向降下部分（下面５３のうち最上部５３ａよりも先端部５１ｂ側の部分。図２中、部分Ｙとして示した。）を有するものである。
【００２２】
図６は、本発明の便座（本便座）２０８を示す平面図（図１と同様の位置から見たところを示したものであり、座面２０５ａ側から見たところ）であり、図７は図６のＡ−Ａ断面図である。図６及び図７を参照して、本便座２０８について説明する。
本便座２０８は、樹脂材料（具体的には、ポリエチレン樹脂）により一体的に形成されており、大まかには、使用者が腰掛ける座面２０５ａを上面に有するドーナツ状（中心に開口２０６が形成された環状）の便座本体２０５と、便座本体２０５と一体に形成された取っ手部１５２と、を有しており、上述した便座１０５と本取っ手１１とを一体的に形成したものとほぼ同様の構造を有している（取っ手部１５２と本取っ手１１との対応する部分の寸法も同様である。例えば、図６中の幅Ｓ９はここでは約８０〜９０ｍｍ程度、図７中の厚みＴ６、Ｔ７、Ｔ８はここでは約３〜５ｍｍ程度、図７中の長さＳ７はここでは約５０ｍｍ程度、図７中のＳ６はここでは約１５〜１６ｍｍ程度、図７中の寸法Ｓ８はここでは約３５〜４０ｍｍ程度である。）。便座本体２０５は、従来の便座１０５と同様のものであるので、ここでは説明を省略する。なお、本便座２０８を形成する材料は、ここに用いたような樹脂材料に限定されるものでないことは言うまでもなく、例えば、アルミニウム、ステンレス鋼、表面に塗装を施された炭素鋼等のような金属材料、木材、ゴム材料、セラミックスや陶磁器のような無機材料等を例示的に挙げることができる。
【００２３】
取っ手部１５２は、便座本体２０５に取り付けられた取付部１５５と、取付部１５５に取り付けられたハンドル部１５１と、を有してなる。
取付部１５５は、便座本体２０５の下面２０５ｂから下方（矢印Ｐ４）に突出するよう形成された板状部１５５ａと、便座本体２０５の外周面２０５ｄから横方向に突出するよう板状部１５５ａと一体的に形成された立ち上がり部１５５ｂと、を有してなる。
ハンドル部１５１は、取付部１５５に取り付けられた基端部１５１ａから先端部１５１ｂに行くにつれて幅（前述のハンドル部５１における図３中のＷを参照されたい。）が狭くなるように形成されており、より具体的には、両主表面が等脚台形を略形成する板状部材を該両主表面が湾曲（無論、一主表面（上面）が凸で他主表面（下面）が凹）するように成型したものによって構成されている。そして、該等脚台形の両底部分（基端部１５１ａ及び先端部１５１ｂを構成している）は、前後方向（矢印Ｐ１（後）、矢印Ｐ２（前））に対して略平行になるよう、ハンドル部１５１は取付部１５５と一体的に成型されている。
ハンドル部１５１の下面１５３は上方に向かって凸になるよう湾曲されており、前後方向（矢印Ｐ１（後）、矢印Ｐ２（前））に対して垂直な平面による断面（図７）においては下面１５３は円弧（半径２５〜３０ｍｍの円弧）の一部に略沿った形状を有している。従って、ハンドル部１５１の下面１５３は、その最上部１５３ａよりも先端部１５１ｂに行くにつれて下方に降下するものであり、最上部１５３ａよりも先端部１５１ｂ側が先端方向降下部分（図７中、部分Ｙとして示した。）を構成する。
【００２４】
このハンドル部１５１は、水平面（例えば、図６に示された面）に投影したとき、該水平面内でハンドル部１５１（の投影された影）が便座本体２０５（の投影された影）よりも外側（便座の内側（使用時において便が通過する側。即ち開口２０６）とは反対側）に突出しているので、横方向に突出している。
また図６において、使用者（図６中、点線Ｒにより示す。）が便座本体２０５の座面２０５ａに両脚Ｒ１、Ｒ２を真っ直ぐ前方（矢印Ｐ２）にそろえて便座に腰掛けた際、ハンドル部１５１は、両脚Ｒ１、Ｒ２から便座の座面２０５ａに投影した影（図６中、点線Ｒ）の左右外側（即ち、図６中、点線Ｒにより示される両脚Ｒ１、Ｒ２よりも左右外側。右脚Ｒ１よりも矢印Ｐ５（右）方向側及び左脚Ｒ２よりも矢印Ｐ６（左）方向側をいう。）の位置に形成されているので、ハンドル部１５１は側方位置に形成されている。
このため腰掛け式便器（洋式便器）の使用者（図示せず）は、ハンドル部１５１を手で把持しハンドル部１５１に力を加えることで着座位置とはね上げ位置との間で本便座２０８を自由に回動させることができる。手で把持するハンドル部１５１は便座本体２０５に対して横方向に突出しているので、便が付着しにくいことから衛生上の問題や不快感を感じる問題を防止又は減少させることができ、さらに突出した把持しやすいハンドル部１５１を把持することから手が滑る問題を防止又は減少させることができる。
【００２５】
以上説明したように、本便座２０８は、横方向に突出するハンドル部１５１が一体に形成された便座である。
また、ここでは前記ハンドル部１５１が側方位置に形成されている。
そして、ハンドル部１５１の下面１５３が、先端（先端部１５１ｂ）側が下方（矢印Ｐ４）に降下する先端方向降下部分（図７中、部分Ｙとして示した。）を有する。
【図面の簡単な説明】
【００２６】
【図１】本発明の便座用の取っ手（本取っ手）を取り付けた便座を示す平面図である。
【図２】図２は図１のＡ−Ａ断面図である。
【図３】本取っ手の平面図である。
【図４】本取っ手の正面図である。
【図５】図３のＢ−Ｂ断面図である。
【図６】本発明の便座（本便座）を示す平面図である。
【図７】図６のＡ−Ａ断面図である。
【図８】従来から用いられてきた腰掛け式便器（洋式便器）を示す斜視図である。
【符号の説明】
【００２７】
１１            本取っ手
２１            固定部
３１            板状部
３３            上面
３５            下面
３７ａ、３７ｂ、３７ｃ  側面
４１            立ち上がり部
４２ａ          一方立ち上がり面
４２ｂ          他方立ち上がり面
４２ｃ          立ち上がり部上面
４３ａ、４３ｂ  辺
４５ａ、４５ｂ  嵌入孔
５１            ハンドル部
５１ａ          基端部
５１ｂ          先端部
５３            下面
５３ａ          最上部
９１            両面テープ
１０１            腰掛け式便器（洋式便器）
１０３            便器本体
１０３ａ          上部開口
１０３ｓ          ゴム状部材（スペーサ）
１０５            便座
１０５ａ          座面
１０５ｂ          下面
１０５ｄ          外周面
１０５ｅ          外側
１０５ｆ          内側
１０７            蓋部
１５１            ハンドル部
１５１ａ          基端部
１５１ｂ          先端部
１５２            取っ手部
１５３            下面
１５３ａ          最上部
１５５            取付部
１５５ａ          板状部
１５５ｂ          立ち上がり部
２０１            床面
２０５            便座本体
２０５ａ          座面
２０５ｂ          下面
２０５ｄ          外周面
２０６            開口
２０８            本便座
【図１】
2007151638.tif 000003
【図２】
2007151638.tif 000004
【図３】
2007151638.tif 000005
【図４】
2007151638.tif 000006
【図５】
2007151638.tif 000007
【図６】
2007151638.tif 000008
【図７】
2007151638.tif 000009
【図８】
2007151638.tif 000010